(57)【要約】【課題】  裾（裾縁）のずれ上がりを未然に防止してアンダーウエアー等の衣服としての着心地の良化向上を図る。【解決手段】  アンダーウエアー等の衣服１の裾縁部位２において、その裾縁部位２の裏面側全周にポリウレタン又はシリコンからなる所定幅のテープ３を縫着する。          【選択図】  図１
2005248347.tif 000002
【特許請求の範囲】
【請求項１】
アンダーウエアー等の衣服の裾縁部位において、その裾縁部位の裏面側全周にポリウレタン又はシリコンからなる所定幅のテープを縫着したことを特徴とするアンダーウエアー等の衣服の裾かがり。
【請求項２】
請求項１記載のアンダーウエアー等の衣服の裾かがりであって、前記テープは、その長手方向の一方側縁を縫着し、他方側縁を自由状態となしたことを特徴とするアンダーウエアー等の衣服の裾かがり。
【請求項３】
請求項１又は２記載のアンダーウエアー等の衣服の裾かがりであって、前記テープは、少なくとも厚さ約０．１２ｍｍ、幅約６ｍｍのフィルム状であることを特徴とするアンダーウエアー等の衣服の裾かがり。
【発明の詳細な説明】
【技術分野】
【０００１】
本発明は、主に、アンダーウエアー等の衣服において、その裾縁部位のずれを防止する裾かがりに関するものである。
【背景技術】
【０００２】
一般に、この種のアンダーウエアー等の衣服においては、その裾縁の処理として種々の縫製形態のまつり手段を施して対応しているのが現状である（非特許文献１）。
【非特許文献１】被服学辞典（１９９１年７月１日発行、発行所  株式会社朝倉書店）、第３９０頁
【発明の開示】
【発明が解決しようとする課題】
【０００３】
そして、この種のアンダーウエアー等の衣服にあってはその使用（着用）状態からすると頻繁に洗濯されるものであり、それに伴って当該アンダーウエアー等の衣服の裾（裾縁）が大きく広がってしまうことが多々生起していた。
しかしながら、上記した一般の裾の処理手段にあっては、前記裾の広がり防止することができず、その着用時に、裾（裾縁）がずれ上がることがしばしば生起し、アンダーウエアー等の衣服として着心地等に対する問題点があった。
そこで、本発明は上記した従来した問題点に鑑み、裾（裾縁）のずれ上がりを未然に防止してアンダーウエアー等の衣服としての着心地の良化向上を図ることができるアンダーウエアー等の衣服の裾かがりを提供することを目的とする。
【課題を解決するための手段】
【０００４】
上記した課題は各請求項記載の発明によって解決される。
請求項１記載の発明は、アンダーウエアー等の衣服の裾縁部位において、その裾縁部位の裏面側全周にポリウレタン又はシリコンからなる所定幅のテープを縫着したことを特徴とする。        
【０００５】
この発明によれば、裾縁部位の裏面側全周に縫着されたポリウレタンからなる所定幅のテープ（商品名、「モビロンテープ」という。）又はシリコンからなる所定幅のテープにより、その伸縮性に優れたテープの性質によって裾縁部位の広がりを防止することができることと、すべり止め特性を効果的に発揮してアンダーウエアー等の衣服における裾縁部位のずれ上がりを未然に防止ことができ、該アンダーウエアー等の衣服としての良好な着心地を得ることができる。
【０００６】
請求項２記載の発明は、請求項１記載のアンダーウエアー等の衣服の裾かがりであって、前記テープは、その長手方向の一方側縁を縫着し、他方側縁を自由状態となしたことを特徴とする。
【０００７】
この発明によれば、テープの他方側縁を縫着することなく、自由の状態とすることによって、アンダーウエアー等の衣服における裾縁部位のずれ上がりを一層良好に防止ことができる。
【０００８】
請求項３記載の発明は、請求項１又は２記載のアンダーウエアー等の衣服の裾かがりであって、前記テープは、少なくとも厚さ約０．１２ｍｍ、幅約６ｍｍのフィルム状であることを特徴とする。
【０００９】
この発明によれば、アンダーウエアー等の衣服の生地とは異なる材質のテープを縫着したとしても、違和感なく着用でき、良好な着心地を得ることができる。
【発明の効果】
【００１０】
この発明によれば、アンダーウエアー等の衣服における裾縁部位のずれ上がりを未然に防止ことができ、該アンダーウエアー等の衣服としての良好な着心地を得ることができる。
【発明を実施するための最良の形態】
【００１１】
次に、本発明を実施するための最良の形態について、実施例にしたがって説明する。
【実施例】
【００１２】
以下、図１〜図３に基づいて本発明におけるアンダーウエアー等の衣服の裾かがりに適した例を説明する。
【００１３】
図１において、アンダーウエアー等の衣服１は、その裾縁部位２が裏側（内側）に折り返されて所望のまつり（縫成）されている。
【００１４】
この裾縁部位２の裏側（内側）全周には、ポリウレタンからなる所定幅のテープ（商品名、「モビロンテープ」という。）又はシリコンからなる所定幅のテープ３が千鳥まつり等の縫成手段により縫着されている。
なお、このテープ３の縫着状態にあっては、図２及び図３に示すように、該テープ３の長手方向の一方側縁側からその幅のほぼ半分位を前記のように縫着して他方側縁側を自由の状態となしている。
【００１５】
また、前記ポリウレタンからなるテープ（商品名、モビロンテープという。）又はシリコンからなるテープ３は、厚さ約０．１２ｍｍ、幅約６ｍｍのフィルム状のものを使用することが望ましい。
【００１６】
上記のようにアンダーウエアー等の衣服１の裾縁部位２にポリウレタンからなるテープ（商品名、「モビロンテープ」という。）又はシリコンからなるテープ３を縫着することにより、そのテープ３の伸縮性に富む性質によって、該裾縁部位２の広がりを縫製時の状態に維持することができるとともに、これと相俟って、そのすべり止め特性によって、着用時において裾縁部位のずれ上がりを未然に防止ことができる。                      
したがって、アンダーウエアー等の衣服１としての良好な着心地を得ることができる。
【００１７】
また、アンダーウエアー等の衣服１の裾縁部位２に対するテープ３の縫着状態にあっては、該テープ３の長手方向の一方側縁側からその幅のほぼ半分位を縫着して他方側縁側を自由の状態とすることにより、アンダーウエアー等の衣服１における裾縁部位２のずれ上がりを一層良好に防止ことができる。
【００１８】
さらに、前記テープ３を厚さ約０．１２ｍｍ、幅約６ｍｍのフィルム状のものを使用することより、その裾縁部位２に最適な状態で対応することができるため、アンダーウエアー等の衣服１の生地とは異なる材質のテープ３を縫着したとしても、違和感なく着用でき、良好な着心地を得ることができる。
【００１９】
なお、本実施例においては、アンダーウエアー等の衣服１にあっては、Ｔシャツやトレーナー類の衣服の場合でも簡単に採用することができ、その衣服の種類はとくに限定するものではない。
【００２０】
また、裾縁部位２の縫成状態及び該裾縁部位２に対するテープ３の縫着状態にあっては、上記説明及び図示の縫成手段に限定するものではなく、裾縁部位２に対しでテープ３全体を縫着する態様でもよい。
【図面の簡単な説明】
【００２１】
【図１】本実施例のおけるアンダーウエアー等の衣服を示す一部破断の斜視図である。
【図２】裾縁部位とテープとの縫着状態を示す拡大説明図である。
【図３】テープの縫着状態を示す拡大縦断面図である。
【符号の説明】
【００２２】
１  アンダーウエアー等の衣服
２  裾縁部位
３  テープ
【図１】
2005248347.tif 000003
【図２】
2005248347.tif 000004
【図３】
2005248347.tif 000005